(57)【要約】【課題】コンビニエンスストアにおいて売上金の紙幣を、店員が、売り上げ後、腰を屈めるようなことなく立ったまますぐ収納でき使い勝手の良い簡単な構造であり、しかも防犯性に優れた紙幣収納装置を実現する。【解決手段】紙幣収納庫４、紙幣送入筒７及び送風機５を備えており、紙幣収納庫４は、その頂壁８に紙幣が通過可能な長孔９が形成されており、その基端壁１１は送風機５の送風側と連通しており、紙幣収納庫４の先端側には機械的な錠前２及び電子錠３で施錠可能な開閉扉１７によって開閉可能な紙幣取り出し口１５が形成されており、紙幣送入筒７は、紙幣収納庫４の頂壁８に起立しており、紙幣挿入口３５から挿入された紙幣を搬送コンベアベルト３６で搬送し、長孔から紙幣収納庫４内に送り込む。【選択図】図４
2011028315.tif 000002
【特許請求の範囲】
【請求項１】
紙幣収納庫、紙幣送入筒及び送風機を備えた紙幣収納装置であって、
紙幣収納庫は、その頂壁に紙幣が通過可能な長孔が形成されており、その基端壁は空気流が送風されるように送風機の送風側と連通しており、その先端側には施錠手段で施錠可能な開閉扉で開閉可能な紙幣取り出し口が形成されており、
紙幣送入筒は、紙幣収納庫の頂壁に起立し上方に向けて延びるように形成されており、上部には紙幣挿入孔が設けられているとともに、上下方向に向けて搬送コンベアベルトが配置されており、紙幣挿入孔から挿入された紙幣を搬送コンベアベルトで搬送し、前記長孔から紙幣収納庫内に取り込むように構成されていることを特徴とする紙幣収納装置。
【請求項２】
前記紙幣収納庫内の基端側に、一対の案内板が基端側から先端側に向けて拡開するように設けられており、長孔から紙幣収納庫内に取り込まれた紙幣が一対の案内板の間を送風機からの空気流により先端側に搬送されるように構成されていることを特徴とする請求項１記載の紙幣収納装置。
【請求項３】
前記施錠手段は、機械的な錠前と電子錠を備えており、
前記電子錠は、電子錠駆動器と電子錠開閉制御装置を備えており、
前記電子錠駆動器は、係止片に対して電磁コイルで挿脱可能な係止杆を有し、
前記電子錠開閉制御装置は、施錠スイッチ及び暗証番号入力用スイッチを有し、施錠スイッチ又は暗証番号入力用スイッチの操作に基づき、施錠制御信号又は解錠制御信号を発生し、
前記施錠制御信号又は解錠制御信号によって、前記電磁コイルを駆動して、前記係止杆を係止片に係止させ又はその係止を解除する構成であることを特徴とする請求項２記載の紙幣収納装置。
【請求項４】
前記紙幣収納庫、紙幣送入筒及び送風機はコンビニエンスストアに設置され、前記電子錠開閉制御装置は、前記電子錠駆動器とは遠隔した場所に設置され、無線又は有線で接続されている構成であることを特徴とする請求項３記載の紙幣収納装置。
【発明の詳細な説明】
【技術分野】
【０００１】
本発明は、紙幣収納装置に関し、特に、コンビニエンスストアに設置される防犯機能を備えた紙幣収納装置に関する。
【背景技術】
【０００２】
近年、コンビニエンスストアに強盗が押し入りその売上金を狙った事件が多発しており、その防犯対策が求められている。特に、売上金の中で１万円のような紙幣について安全に収納する紙幣収納庫が必要である。
【０００３】
従来、各種の機械的又は電子的な鍵、錠前を備えた金庫自体は知られている。また、コンビニエンスストアの売上金安全保管装置は知られている（特許文献１参照）。精算部から現金収納庫に自動的に現金が収納されるようにしたコンビニエンスストアに設ける防犯型キャッシュレジスタが知られている（特許文献２参照）。さらに、入出金口と紙幣判別部を上部に、紙幣収納庫を下部に配し、紙幣搬送路を上部と下部で分割可能に構成し、現金自動取引装置の全体を囲う装置筐体を設けた紙幣入出金機が知られている（特許文献３参照）。
【先行技術文献】
【特許文献】
【０００４】
【特許文献１】特開平６−８１５４２号公報
【特許文献２】特開平１１−１８５１５５号公報
【特許文献３】特開２００８−１７１４５１号公報
【発明の開示】
【発明が解決しようとする課題】
【０００５】
通常、コンビニエンスストアは、せいぜい２人程度の少数の店員が顧客の対応を行っており、売り上げ紙幣を貯めておいて従来の金庫などにゆっくりと収納する余裕はなく、また、釣り紙幣となる千円札、五千円札は、ある程度、レジにおいて手元に置いておく必要があるが、１万円札は釣り銭としては不要であり、手元においておくことは防犯上、好ましくはない。
【０００６】
従って、売上金である１万円札は、売り上げ次第、店員はレジから離れることなく、腰を屈めることなく立ったままの姿勢で、どんどん紙幣収納庫に素早く収納していくことが好ましい。また、コンビニエンスで発生する強盗の場合は、きわめて短時間（例えば、５分程度）に行われていることが特徴であることからすると、防犯上の目的で、店主以外の者が短時間に解錠できない程度の錠が必要であり、また紙幣収納庫は、バール等でこじ開けられないようなの筺体強度が必要である。
【０００７】
このような観点からすると、従来の金庫等は、錠をあけて扉をいちいち開けなくてはならないので、コンビニエンスストアには適していない。また、金庫を店内に設置すると、大きい金庫では物々しくコンビニエンスストアという場に合わず、また小さい金庫では強奪のターゲットとなり、いずれにしろ防犯上、好ましくはない。
【０００８】
上記特許文献１は、紙幣保管部が筺体から構成されるので、据え付ける場所が床であると店員は腰を屈めて紙幣を挿入する必要があり、カウンタ等上に据え付けるには、適切な据え付け場所がなく、防犯上も必ずしも好ましくはないものと考えられる。また、上記特許文献２、３には、現金収納庫を設けた構成が記載されているが、精算部や判別部等とともに設けられており、コンビニエンスストアに必要な防犯上の目的で単純に紙幣を収納する収納庫の構成としては複雑すぎる。
【０００９】
本発明は、上記のような社会的背景の下に、コンビニエンスストアにおいて売上金の紙幣、特に１万円紙幣を、売り上げ後、店員は腰を屈めるようなことなく、立ったまますぐ収納でき使い勝手の良い簡単な構造で、しかも防犯性に優れた紙幣収納装置を実現することを課題とする。
【課題を解決するための手段】
【００１０】
本発明は上記課題を解決するために、紙幣収納庫、紙幣送入筒及び送風機を備えた紙幣収納装置であって、 紙幣収納庫は、その頂壁に紙幣が通過可能な長孔が形成されており、その基端壁は空気流が送風されるように送風機の送風側と連通しており、その先端側には施錠手段で施錠可能な開閉扉で開閉可能な紙幣取り出し口が形成されており、紙幣送入筒は、紙幣収納庫の頂壁に起立し上方に向けて延びるように形成されており、上部には紙幣挿入孔が設けられているとともに、上下方向に向けて搬送コンベアベルトが配置されており、紙幣挿入孔から挿入された紙幣を搬送コンベアベルトで搬送し、前記長孔から紙幣収納庫内に取り込むように構成されていることを特徴とする紙幣収納装置を提供する。
【００１１】
前記紙幣収納庫内の基端側に、一対の案内板が基端側から先端側に向けて拡開するように設けられており、長孔から紙幣収納庫内に取り込まれた紙幣が一対の案内板の間を送風機からの空気流により先端側に搬送されるように構成されていることが好ましい。
【００１２】
前記施錠手段は、機械的な錠前と電子錠を備えており、前記電子錠は、電子錠駆動器と電子錠開閉制御装置を備えており、 前記電子錠駆動器は、係止片に対して電磁コイルで挿脱可能な係止杆を有し、前記電子錠開閉制御装置は、施錠スイッチ及び暗証番号入力用スイッチを有し、施錠スイッチ又は暗証番号入力用スイッチの操作に基づき、施錠制御信号又は解錠制御信号を発生し、前記施錠制御信号又は解錠制御信号によって、前記電磁コイルを駆動して、前記係止杆を係止片に係止させ又はその係止を解除する構成であることが好ましい。
【００１３】
前記紙幣収納庫、紙幣送入筒及び送風機はコンビニエンスストアに設置され、前記電子錠開閉制御装置は、前記電子錠駆動器とは遠隔した場所に設置され、無線又は有線で接続されている構成であることが好ましい。
【発明の効果】
【００１４】
本発明に係る紙幣収納装置は、コンビニエンスストアのレジ近辺に設けることにより、店員は、売り上げ紙幣を、屈むようなことなく、立ったままの自然の姿勢で挿入して収納することができ、しかも、下部に設けた送風機により紙幣収納庫の入り口で詰まることがない。そして、機械的な錠前と電子錠を設けたので、短時間の解錠を困難とし、防犯効果を高めることができる。また、本発明に係る紙幣収納装置は、きわめて簡単な構成であるから、取り扱い等も簡単である。
【００１５】
店主（経営者）が錠前の鍵を持ち、かつ電子錠の暗証番号を取得しており、店員は鍵を持たず、暗証番号を知らない状態とすれば、店主のいない限り、紙幣収納庫から紙幣を強奪しようとする者は、収納庫の解錠、破損をしようとしても、短時間では解錠、破損は困難なので断念せざるを得ない。このような紙幣収納装置がコンビニエンスストアに設置されていることが広まれば、コンビニエンスストアに押し入り売上金を強奪しようとする者も少なくなるという点で、防犯上の効果も格別である。
【図面の簡単な説明】
【００１６】
【図１】本発明の実施例を説明する垂直断面図を示す図である。
【図２】（ａ）は図１の平面図を示し、（ｂ）は次の（ｃ）のＡ−Ａ断面図を示し、（ｃ）は図１の要部を示す図である。
【図３】本発明の実施例の電子錠を説明する図である。
【図４】本発明の実施例の作用を説明する図である。
【発明を実施するための形態】
【００１７】
本発明に係る紙幣収納装置を実施するための形態を実施例に基づき図面を参照して、以下説明する。
【実施例】
【００１８】
図１〜４は、本発明の実施例の本発明の紙幣収納装置を説明する図である。図１及び図２において、紙幣収納装置１は、通常の錠前２及び左右一対の電子錠３を備えた紙幣収納庫４と、送風機５と、電子錠開閉制御装置６（図３参照）と、紙幣送入筒７と、を備えている。なお、電子錠３は左右一対設けなくても１つでもよい。
【００１９】
紙幣収納庫４は、強度を有する鉄板製の筺で形成されており、図１、図２（ｃ）に示すように、紙幣収納庫４の基端側（図中、右側）の上面には紙幣送入筒７が起立し上方に延びるように設けられており、紙幣送入筒７の下端が紙幣収納庫４の頂壁８に形成された長孔９を通して紙幣収納庫４内に連通するように設けられている。
【００２０】
紙幣収納庫４内の基端側の底壁４５には、図２（ｂ）に示すように、平面視で先端側（図中左側）に向かって拡開した空気流を案内する一対のガイド板１０が垂設されている。そして、紙幣収納庫４の基端壁１１に送風機５からの送風を受け入れる送風口１２が形成されている。
【００２１】
送風機５は、送風用モータ１３を備えている。この送風機５は、紙幣収納庫４内に設けても良いが、この実施例では、紙幣収納庫４とは別に独立して設けられている。この送風機５は、パイプ１４を介して紙幣収納庫４の送風口１２に連通し、送風機５からの空気流を送風口１２を通して紙幣収納庫４内に送るように構成されている。
【００２２】
紙幣収納庫４の先端側（図中、左側）において、頂壁８には紙幣を取り出す紙幣取り出し口１５が形成されている。この紙幣取り出し口１５は、ヒンジ１６で枢着された上開きの扉１７で開閉可能となる（図４の想像線参照）。扉１７と紙幣取り出し口１５の間の隙間は、バール等の工具を挿入できないように、極力小さくなるように形成されている。紙幣収納庫４の先端壁１８は、空気通過孔（格子孔）１９が形成されている。
【００２３】
扉１７の上面には、紙幣収納庫４の頂壁８と係合可能な機械的な錠前２が設けられており、鍵を差込んで施錠及び解錠可能である。この機械的な錠前２は、通常の錠前が使用される。さらに、扉１７の施錠のために、紙幣収納庫４には、図２（ａ）、（ｃ）に示すように、左右一対の電子錠３が取り付けられている。電子錠３は、図３に示すように、無線又は有線で互いに電気的に接続される電子錠駆動器２０と電子錠開閉制御装置６を備えている。この実施例では、電子錠駆動器２０と電子錠開閉制御装置６が無線で接続されている構成例を説明する。なお、左右一対となる２つの電子錠３は、それぞれが電子錠駆動器２０を有するが、１つの共通電子錠開閉制御装置６を設ければよい。
【００２４】
電子錠駆動器２０は、施錠及び解錠する部分であり、図２（ｃ）に示すように、紙幣収納庫４の頂壁８の下面に取り付けられており、電磁コイル２１と、電磁コイル２１で駆動される出没自在の係止杆２２と、電磁コイル駆動制御器３３と、受信器３４を有する。係止杆２２は、電磁コイル２１により駆動されて、扉１７の下面に固定された係止片２３の係合孔２４に出没自在に係脱する。
【００２５】
電子錠開閉制御装置６は、電子錠駆動器２０の施錠及び解錠を制御する部分である。本発明では、電子錠開閉制御装置６は、紙幣収納庫４若しくは紙幣送入筒７、又はコンビニエンスストアのレジ近辺に取り付けて、電子錠駆動器２０と有線（電線）で接続してもよいが、レジから離れた店内又は店外の別の場所（例えば、店内の事務所、店主自宅等）に設置して、前記のとおり、無線又は有線で接続してもよい。この実施例では、電子錠開閉制御装置６をレジから離れた別の場所に設けられ、無線で電子錠駆動器２０と接続された構成を前提として説明する。
【００２６】
図３において、電子錠開閉制御装置６は、施錠スイッチ２５、暗証番号入力用スイッチ２６、制御信号発生器２７及び送信器２８を備えている。制御信号発生器２７は、施錠スイッチ２５又は暗証番号入力用スイッチ２６の操作で生じた施錠信号又は暗証番号入力信号を受けて、施錠制御信号又は解錠制御信号を発生し、電子錠駆動器２０を制御する装置である。
【００２７】
図３で示す制御信号発生器２７は、ＣＰＵ２９、記憶部３０、入力部３１及び出力部３２を備えたマイコン又はパソコンと同じ機能を備えている。施錠スイッチ２５又は暗証番号入力用スイッチ２６の操作により生じた施錠入力信号又は暗証番号入力信号を入力部３１で受けて、記憶部３０に搭載された電子錠開閉制御ソフトに基づきＣＰＵ２９が動作し、施錠制御信号又は解錠制御信号を発生する。そして、施錠制御信号又は解錠制御信号は、送信器２８によって受信器３４に送信され、電磁コイル駆動制御器３３に入力される。
【００２８】
具体的には、店主が施錠スイッチ２５を操作することで、制御信号発生器２７によって施錠制御信号を発生し、これを送信器２８及び受信器３４を介して電子錠駆動器２０の電磁コイル駆動制御器３３に送り、電磁コイル２１を駆動して係止杆２２を係止片２３の係合孔２４に挿入するように動作させる。
【００２９】
また、暗証番号入力用スイッチ２６を操作して店主しか知らない暗証番号を入力することで、制御信号発生器２７によって解錠制御信号を発生して、これを送信器２８及び受信器３４を介して電子錠駆動器２０の電磁コイル駆動制御器３３に送り、電磁コイル２１を駆動して係止杆２２を係止片２３の係合孔２４から抜け出るように動作させる。
【００３０】
紙幣送入筒７は、鉄板製で断面が水平断面で四角形状をしているが、その前面及び後面が、製作上及びメインテナンスのために、開口している。紙幣送入筒７は、図１、図２（ａ）に示すように、その上部に紙幣挿入口３５が形成されている。紙幣送入筒７は、店員が腰をあまり屈めることなく紙幣を紙幣挿入口３５に挿入できる程度の高さに形成する。そのため、紙幣収納庫４を床４７の上に据え付けて設置する場合（図４参照）と、床下に埋め込んで設置する場合（図示せず）との据え付け態様に応じて、紙幣送入筒７の高さを変えて設計する必要がある。  
【００３１】
紙幣送入筒７内には、上下方向に延びるように、エンドレスベルトから成る紙幣搬送用コンベアベルト３６が、下端では駆動ローラ３７で支持され、上端では案内ローラ３８で支持され、さらに上下方向中間位置ではバネ３９で緊張力の付勢された緊張ローラ４０で支持されて、配置されている。
【００３２】
駆動ローラ３７は、紙幣送入筒７の下部に設けられた搬送用モータ４１によって減速器を介して駆動されるように構成されている。搬送用モータ４１が配置される紙幣送入筒７の基端側の開口は、カバー板（図示せず）により適宜、閉じられるように構成されている。
【００３３】
紙幣搬送用コンベアベルト３６の前面側（図１の左側）には、紙幣搬送用コンベアベルト３６に沿うように上下方向に延びる複数本（例えば、３本）のエンドレスコード４２が、幅方向に間隔をおいて張設されている。このエンドレスコード４２は、紙幣搬送用コンベアベルト３６の前面において、上下方向に間隔をおいて設けられた複数の従動ローラ４２’で、紙幣搬送用コンベアベルト３６の移動に応じて、回転可能に設けられている。なお、紙幣送入筒７の前面開口は、紙幣が詰まった場合に見えるような透明又は透孔カバー等で適宜カバーすることが好ましい。
【００３４】
図１に示すように、紙幣搬送用コンベアベルト３６とエンドレスコード４２は、それらの間の上端の隙間が、紙幣送入筒７の紙幣挿入口３５の直下にくるように配置されている。また、紙幣送入筒７内において、紙幣挿入口３５の直下には、紙幣検知スイッチ４３（光スイッチ、マイクロスイッチ等の近接スイッチ）が設けられている。
【００３５】
この紙幣検知スイッチ４３が紙幣４８の挿入を検知すると（図４参照）、制御盤４４を介して、搬送用モータ駆動信号を搬送用モータ４１に送り、搬送用モータ４１を一定時間回転するように制御する。同様に、紙幣検知スイッチ４３が紙幣の挿入を検知すると、制御盤４４を介して、送風用モータ駆動信号を送風用モータ１３に送り、一定時間、送風用モータ１３を回転するよう制御する。制御盤４４と送風用モータ１３は、図示はしないが有線（電線）又は無線で電気的に接続される。
【００３６】
（作用）
以上の構成から成る紙幣収納装置１の作用を、以下説明する。紙幣収納庫４、紙幣送入筒７及び送風機５は、コンビニエンスストアのレジ近辺に据え付けられる。この据え付けは、例えば、図４に示すように、紙幣収納庫４の底壁４５を据え付けボルト４６で床４７に固定することにより行われる。或いは、可能であれば、床４７の下方、即ち床下に穴を掘り、この穴内に紙幣収納庫４を埋設し、紙幣送入筒７を店員が腰をあまり屈めることなく紙幣４８を紙幣挿入口３５に挿入できる高さまで延びるように設ける。
【００３７】
使用に際しては、紙幣収納庫４の扉１７を閉じ、機械的な錠前２及び電子錠３を施錠した状態とする。店員は、売上金のうち、特に１万円紙幣は、紙幣収納装置１の紙幣挿入口３５から挿入する。この際、店員は、腰を屈めるようなことなく立ったままきわめて自然な姿勢で紙幣を紙幣収納装置１の紙幣挿入口３５に挿入できるので、いそがしい店員にとっても使い勝手きわめてよい。
【００３８】
このように、紙幣を紙幣収納装置１の紙幣挿入口３５に挿入すると、紙幣検知スイッチ４３が紙幣４８を検知し、制御盤４４を介して搬送用モータ駆動信号を搬送用モータ４１に送り、搬送用モータ４１を回転する。これにより、紙幣挿入口３５から挿入された紙幣４８は、図４に示すように、紙幣搬送用コンベアベルト３６とエンドレスコード４２の上端の隙間に食い込まれて下方に搬送され、長孔９から紙幣収納庫４内に取り込まれる。
【００３９】
また、紙幣検知スイッチ４３で紙幣４８を検知すると、制御盤４４を介して送風用モータ駆動信号を送風用モータ１３に送り、送風用モータ１３が回転する。これにより、送風機５が空気流をパイプ１４、送風口１２を通して紙幣収納庫４内に送り、一対のガイド板１０の間から収納庫の先端側に送風する。この状態で、紙幣４８が長孔９から紙幣収納庫４内に取り込まれてくると、すぐ空気流で紙幣収納庫４の先端側に搬送する。そのため、紙幣収納庫４内で長孔９の下方に取り込まれた紙幣４８が、複数枚重なるようにして滞留し、詰まったりすることがない。
【００４０】
紙幣４８は、このようにして紙幣収納庫４内の先端側に積み重ねられるようにして収納されていく。店主以外の者は、施錠されているので紙幣収納庫４から紙幣を取り出すことができない。店主が、売上金である紙幣４８を紙幣収納庫４から取り出す場合には、錠前２を解錠するとともに、電子錠開閉制御装置６の暗証番号入力用スイッチ２６に暗証番号を入力して、電子錠３の係止杆２２を係止片２３の係合孔２４から抜き出して解錠する。これにより、扉１７を開いて収納された紙幣４８を取り出すことが可能となる。
【００４１】
以上、本発明に係る紙幣収納装置を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４２】
本発明に係る紙幣収納装置は、上記のような構成であるから、コンビニエンスストアの紙幣収納のために最適であるが、小店舗、その他の小売業等においても防犯目的で使用可能である。
【符号の説明】
【００４３】
１  紙幣収納装置                       
２  錠前                               
３  電子錠                             
４  紙幣収納庫                         
５  送風機                             
６  電子錠開閉制御装置                 
７  紙幣送入筒                         
８  紙幣収納庫の頂壁                   
９  頂壁に形成された長孔               
１０  ガイド板                         
１１  基端壁                           
１２  送風口                           
１３  送風用モータ                     
１４  パイプ                           
１５  紙幣取り出し口                   
１６  ヒンジ
１７  扉                               
１８  先端壁                           
１９  空気通過孔（格子孔）             
２０  電子錠駆動器                     
２１  電磁コイル                       
２２  係止杆                           
２３  係止片                           
２４  係合孔                           
２５  施錠スイッチ                     
２６  暗証番号入力用スイッチ           
２７  制御信号発生器                   
２８  送信器                           
２９  ＣＰＵ                           
３０  記憶部                           
３１  入力部                           
３２  出力部                           
３３  電磁コイル駆動制御器             
３４  受信器                           
３５  紙幣挿入口                       
３６  紙幣搬送用コンベアベルト         
３７  駆動ローラ                       
３８  案内ローラ                       
３９  緊張力の付勢バネ                 
４０  緊張力の付勢された緊張ローラ     
４１  搬送用モータ
４２  エンドレスコード                 
４２’  従動ローラ                    
４３  紙幣検知スイッチ                 
４４  制御盤                           
４５  紙幣収納庫の底壁               
４６  据え付けボルト                   
４７  床
４８  紙幣                     
【図１】
2011028315.tif 000003
【図２】
2011028315.tif 000004
【図３】
2011028315.tif 000005
【図４】
2011028315.tif 000006